(57)【特許請求の範囲】
【請求項１】
一面に開口を有する枠体と、
長尺形状であり光源部を含み、前記枠体の内側に位置するように前記枠体に取り付けられる着脱自在の灯具部と、
を備え、
前記枠体には、
前記灯具部の長手方向の端部に向かい合う内側面に、前記灯具部を係止する対になる２つの係止部が設けられ、
前記灯具部の長手方向の端部には、
前記係止部が挿入され、前記灯具部が移動自在になるように前記係止部と係合する対になる２つの切欠部が設けられ、
前記灯具部は、
一方の前記切欠部と一方の前記係止部とが係合し、且つ、他方の前記切欠部と他方の前記係止部とが係合した状態で前記枠体に取り付けられ、
一方の前記切欠部と一方の前記係止部とが係合した状態において、係合された一方の前記係止部を軸として回動自在であり、
各係止部は、
前記枠体の内側面に、前記灯具部の端部に向かい合って設けられた第１の係止部と、
前記第１の係止部が設けられた前記枠体の内側面に、前記灯具部の端部に向かい合って前記第１の係止部とは異なる位置に設けられた第２の係止部とを含み、
各切欠部は、
前記第１の係止部に移動自在に支持される第１の切欠部と、
前記第２の係止部に移動自在に支持される第２の切欠部とを含み、
前記第１の切欠部は、
前記第１の係止部が外れるように一方側が開放されている第１の開放部と、
一方側が前記第１の開放部の他端側に接続され、他端側が前記灯具部の短手方向の幅の中央に向かいながら上側に延出する第１の奥側部とを含み、
前記第２の切欠部は、
前記第２の係止部が外れるように一方側が開放された第２の開放部と、
一方側が前記第２の開放部の他端側に接続された第２の奥側部とを含み、
前記第１の開放部は、
前記灯具部の短手方向に平行に形成され、前記枠体に前記灯具部が取り付けられている状態において前記第１の係止部に支持され、
前記第２の奥側部は、
前記灯具部の上下方向に平行に形成され、前記枠体に前記灯具部が取り付けられている状態において前記第２の係止部に支持される
照明装置。
【請求項２】
前記灯具部は、
前記枠体から着脱する場合には、
前記光源部の光照射方向に対して傾けた状態において一方の前記切欠部と一方の前記係止部とが係合し、前記枠体に取り付けられる
請求項１に記載の照明装置。
【請求項３】
前記第１の開放部には、
前記灯具部が前記枠体に取り付けられている状態において、
前記第１の係止部が開放されている側に動くことを規制する第１の凸部が形成されている
請求項１又は２に記載の照明装置。
【請求項４】
前記第２の奥側部には、
前記灯具部が前記枠体に取り付けられている状態において、
前記第２の係止部が下側に動くことを規制する第２の凸部が形成されている
請求項１〜３のいずれか一項に記載の照明装置。
【請求項５】
前記枠体には、
前記灯具部が前記枠体に取り付けられている状態において、
前記灯具部の長手方向に直交する方向の動きを規制するように、前記灯具部を押さえつける弾性部材が設けられている
請求項１〜４のいずれか一項に記載の照明装置。
【発明の詳細な説明】
【技術分野】
【０００１】
本発明は、照明装置に関し、特に、照明装置が備えている灯具部の着脱構造に関するものである。
【背景技術】
【０００２】
照明装置はたとえば建物などの天井に据え付けられる。ここで、照明装置は、器具本体と、器具本体に着脱自在に設けられ、光源部を含む灯具部とを備えているものが提案されている（たとえば、特許文献１参照）。
【先行技術文献】
【特許文献】
【０００３】
【特許文献１】特許第５４５９２３４号公報
【発明の概要】
【発明が解決しようとする課題】
【０００４】
照明装置の灯具部がねじ止めにより器具本体に取り付ける態様の照明装置では、作業者は灯具部を交換する作業において、ドライバーなどの工具を用いる。照明装置は天井に設けられているため、作業者は、脚立などに登りながら、工具を用いて作業をすることになる。したがって、照明装置の灯具部がねじ止めにより器具本体に取り付ける態様の照明装置では、灯具部を交換する際において、灯具部を着脱する作業者の負担が増大してしまうという課題がある。
【０００５】
本発明は、以上のような課題を解決するためになされたもので、灯具部を着脱する作業負担を抑制することができる照明装置を提供することを目的としている。
【課題を解決するための手段】
【０００６】
本発明に係る照明装置は、一面に開口を有する枠体と、長尺形状であり光源部を含み、枠体の内側に位置するように枠体に取り付けられる着脱自在の灯具部と、を備え、枠体には、灯具部の長手方向の端部に向かい合う内側面に、灯具部を係止する対になる２つの係止部が設けられ、灯具部の長手方向の端部には、係止部が挿入され、灯具部が移動自在になるように係止部と係合する対になる２つの切欠部が設けられ、灯具部は、一方の切欠部と一方の係止部とが係合し、且つ、他方の切欠部と他方の係止部とが係合した状態で枠体に取り付けられ、一方の切欠部と一方の係止部とが係合した状態において、係合された一方の係止部を軸として回動自在であり、各係止部は、枠体の内側面に、灯具部の端部に向かい合って設けられた第１の係止部と、第１の係止部が設けられた枠体の内側面に、灯具部の端部に向かい合って第１の係止部とは異なる位置に設けられた第２の係止部とを含み、各切欠部は、第１の係止部に移動自在に支持される第１の切欠部と、第２の係止部に移動自在に支持される第２の切欠部とを含み、第１の切欠部は、第１の係止部が外れるように一方側が開放されている第１の開放部と、一方側が第１の開放部の他端側に接続され、他端側が灯具部の短手方向の幅の中央に向かいながら上側に延出する第１の奥側部とを含み、第２の切欠部は、第２の係止部が外れるように一方側が開放された第２の開放部と、一方側が第２の開放部の他端側に接続された第２の奥側部とを含み、第１の開放部は、灯具部の短手方向に平行に形成され、枠体に灯具部が取り付けられている状態において第１の係止部に支持され、第２の奥側部は、灯具部の上下方向に平行に形成され、枠体に灯具部が取り付けられている状態において第２の係止部に支持されるものである。
【発明の効果】
【０００７】
本発明に係る照明装置によれば、上記構成を有しているため、灯具部を着脱する作業負担を抑制することができる。
【図面の簡単な説明】
【０００８】
【図１】本発明の実施の形態に係る照明装置１００の説明図である。
【図２】本発明の実施の形態に係る照明装置１００の器具本体２００及びフレーム５００などの説明図である。
【図３】本発明の実施の形態に係る照明装置１００の備えた灯具部３００の説明図である。
【図４】図３に示す灯具部３００の端部の拡大図である。
【図５】本発明の実施の形態に係る照明装置１００の灯具部３００の端部に設けられた切欠部（第１の切欠部３０１及び第２の切欠部３０２）の説明図である。
【図６】図５に示す第１の切欠部３０１及びその周辺の拡大図である。
【図７】図５に示す第２の切欠部３０２及びその周辺の拡大図である。
【図８】本発明の実施の形態に係る照明装置の灯具部３００を支持する係止部６００の説明図である。
【図９】本発明の実施の形態に係る照明装置の灯具部３００が係止部６００（第１の係止部６００Ａ及び第２の係止部６００Ｂ）によって器具本体２００に取り付けられている状態の説明図である。
【図１０】図９に示す灯具部３００の第２の切欠部３０２の取付基準位置から、第２の係止部６００Ｂを外した状態の説明図である。
【図１１】図１０に示す灯具部３００の第１の切欠部３０１の取付基準位置から、第１の係止部６００Ａを外した状態の説明図である。
【図１２】図１１に示す灯具部３００の第２の切欠部３０２から第２の係止部６００Ｂを外した状態の説明図である。
【図１３】図１２に示す灯具部３００の第１の切欠部３０１から第１の係止部６００Ａを外す様子の説明図１である。
【図１４】図１３に示す灯具部３００の第１の切欠部３０１から第１の係止部６００Ａを外す様子の説明図２である。
【図１５】本発明の実施の形態に係る照明装置１００の変形例の説明図である。
【図１６】変形例に係る照明装置１００の備える弾性部材７００の説明図である。
【図１７】変形例に係る照明装置１００の器具本体２００に弾性部材７００が取り付けられている状態を説明する図である。
【発明を実施するための形態】
【０００９】
以下、本発明に係る照明装置１００の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態．
図１は、本実施の形態に係る照明装置１００の説明図である。図２は、本実施の形態に係る照明装置１００の器具本体２００及びフレーム５００などの説明図である。なお、図２では、ルーバー４００を器具本体２００から取り外し、また、２つの灯具部３００のうちの一方を器具本体２００から取り外した状態について示している。図１及び図２に基づいて、照明装置１００について説明する。
本実施の形態に係る照明装置１００は、灯具部３００を着脱する作業負担を抑制することができる改良が加えられたものである。
なお、本実施の形態の説明において、「上側（上方）」は、Ｚ１方向に対応し、「下側（下方）」は、Ｚ２方向に対応している。また、「水平方向」は、Ｘ１方向、Ｘ２方向、Ｙ１方向及びＹ２方向に対応している。なお、Ｘ１方向とＸ２方向とは逆方向であり、Ｙ１方向及びＹ２方向とは逆方向である。また、Ｘ１方向及びＸ２方向と、Ｙ１方向及びＹ２方向とは直交する。また、Ｙ１方向及びＹ２方向は、灯具部３００の長手方向に平行であり、Ｘ１方向及びＸ２方向は、灯具部３００の短手方向に平行である。
なお、Ｘ１方向、Ｘ２方向、Ｙ１方向、Ｙ２方向、Ｚ１方向及びＺ２方向の他、後述するＡＲ１方向、ＡＲ２方向、ＡＲ３方向及びＡＲ４方向は、照明装置１００が天井に取り付けられている状態における方向を示している。照明装置１００は、壁など、天井以外の被取り付け部に取り付けられていてもよい。
【００１１】
＜照明装置１００の構成説明＞
照明装置１００は、固定具（図示せず）を介してたとえば天井に取り付けられ、長尺に形成された灯具部３００が点灯することによって室内などに光が照射される。図１に示すように、照明装置１００には、器具本体２００と、器具本体２００に設けられ、灯具部３００に給電して灯具部３００を点灯させる点灯装置（図示省略）と、器具本体２００に設けられ、着脱自在の２つの灯具部３００とを備えている。
また、照明装置１００は、灯具部３００から照射される光を和らげる複数のルーバー４００と、灯具部３００に給電するのに利用され、電源線が取り付けられる電源端子台２０１とを備えている。
【００１２】
器具本体２００は、２つの枠体２０００を備え、たとえば金属などで構成される。器具本体２００の枠体２０００は、矩形状の天面部２００Ａと、天面の端部より形成された２つの側面部２００Ｂを含む枠本体２００Ｄとを含んでいる。また、器具本体２００の枠体２０００は、２つのフレーム５００の一部を含む。すなわち、器具本体２００の枠体２０００には、枠本体２００Ｄの側面部２００Ｂが形成されていない端部に設けられる２つのフレーム５００が設けられている。天面部２００Ａには、通気穴２００Ｃが形成されている。
器具本体２００の枠体２０００は、図示省略の照明器具及び灯具部３００を収容する。また、器具本体２００の枠体には、ルーバー４００が取り付けられている。より詳細には、側面部２００Ｂには、ルーバー４００が引っ掛けられる。
枠体２０００は、向かい合う一組の端部に側面部２００Ｂが設けられ、この一組の端部とは異なる向かい合う一組の端部にフレーム５００が設けられている。側面部２００Ｂとフレーム５００とは直交するように配置されている。枠体２０００は、枠本体２００Ｄとフレーム５００により一面が開口した箱形状に形成されているものである。枠本体２００Ｄの側面部２００Ｂ及び器具本体２００のフレーム５００によって囲われる部分には、天面部２００Ａに対向する開口へ照射できるように灯具部３００が配置されている。
【００１３】
ルーバー４００は、灯具部３００より開口側（以下、下側とも称する）に配置されている。ルーバー４００は、灯具部３００の長手方向に直交する方向Ｘ１及び方向Ｘ２に平行に設けられ、灯具部３００の長手方向（方向Ｙ１及び方向Ｙ２）に並ぶように複数配置されている。たとえば、照明装置１００が天井に取り付けられている場合には、ルーバー４００は、水平方向に平行であって、灯具部３００の長手方向に直交するように配置されることになる。
電源端子台２０１は、器具本体２００のフレーム５００の内側面５００Ａに設けられている。この内側面５００Ａには、後述する係止部６００も接続されている。
また、フレーム５００は、２つの枠体２０００を、２つの枠体２０００のそれぞれの側面部２００Ｂが対向するように連結する機構も有している。
【００１４】
なお、照明装置１００は図１に示した形態以外のものであってもよい。たとえば、照明装置１００は、１つの灯具部３００を着脱自在に取り付けられるものであってもよい。また、照明装置１００には、ルーバー４００が、取り付けられていなくてもよい。また、照明装置１００は、器具本体２００が枠体２０００を１つだけ備えるものであってもよい。また、照明装置１００は、天井以外に取り付けられるものであってもよい。
【００１５】
＜灯具部３００の構成説明＞
図３は、本実施の形態に係る照明装置１００の備えた灯具部３００の説明図である。図４は、図３に示す灯具部３００の端部の拡大図である。図３及び図４を参照して灯具部３００について説明する。
灯具部３００は長尺状部材であり、端部が器具本体２００に支持（係止）される構造を備えている。
灯具部３００は、両方の端部にそれぞれ設けられた器具本体固定部３００ＡＡと、曲げ形成された反射板３００Ｂと、光を通過する透光性カバー３５０とを備えている。また、灯具部３００は、透光性カバー３５０の内側に配置された図示省略の光源モジュールを備えている。なお、本実施の形態では、光源モジュールの光源としてＬＥＤを採用している場合について説明するが、それ限定されるものではない。たとえば、灯具部３００が蛍光灯の態様であってもよい。
また、図示しない灯具部３００の光源部モジュール（光源部）の照射方向とは、天井と反対方向（図９における矢印Ｚ２方向）である。なお、図９に図示する中心軸ＡＸは、光源部モジュールの中心軸ＡＸに対応している。
【００１６】
器具本体固定部３００ＡＡは、たとえば、金属製の板材で構成することができる。器具本体固定部３００ＡＡには、係止部６００（図２参照）が挿入される第１の切欠部３０１及び第２の切欠部３０２が形成されている。第１の切欠部３０１及び第２の切欠部３０２は、非対称の形状を有している。第１の切欠部３０１及び第２の切欠部３０２の詳細な構成については、後段の図５〜図７で説明する。
【００１７】
反射板３００Ｂは、光源モジュールが設置される光源モジュール取付部（図示省略）と、光源モジュール取付部の長手方向に平行な一方の端部に接続された反射板３００Ｂ１と、光源モジュール取付部の長手方向に平行な他方の端部に接続された反射板３００Ｂ２とを含む。
光源モジュール取付部の短手方向に平行な一方の端部には、一方の器具本体固定部３００ＡＡが配置され、光源モジュール取付部の短手方向に平行な他方の端部には、他方の器具本体固定部３００ＡＡが配置されている。反射板３００Ｂ１及び反射板３００Ｂ２には、光源モジュールのＬＥＤから照射された光が下方に向かうように、光源モジュール取付部から離れるにしたがって下側に傾斜する傾斜面が形成されている。
【００１８】
＜灯具部３００の支持機構の詳細説明＞
図５は、本実施の形態に係る照明装置１００の灯具部３００の端部に設けられた切欠部（第１の切欠部３０１及び第２の切欠部３０２）の説明図である。図６は、図５に示す第１の切欠部３０１及びその周辺の拡大図である。図７は、図５に示す第２の切欠部３０２及びその周辺の拡大図である。図８は、本実施の形態に係る照明装置の灯具部３００を支持する係止部６００の説明図である。図５〜図８を参照して照明装置１００の支持機構について詳しく説明する。
【００１９】
器具本体固定部３００ＡＡの端部は、上端部３００Ａ１、下端部３００Ａ２、第１側端部３００Ａ３及び第２側端部３００Ａ４を含む。また、器具本体固定部３００ＡＡは、第１の係止部６００Ａ（図９参照）が挿入される第１の切欠部３０１、及び第２の係止部６００Ｂが挿入される第２の切欠部３０２が形成されている。
なお、第１の切欠部３０１に挿入される第１の係止部６００Ａ及び第２の係止部６００Ｂに挿入される第２の係止部６００Ｂは、係止部６００に含まれる。第１の係止部６００Ａよりも第２の係止部６００Ｂの方が上側に配置されている。
【００２０】
第１の切欠部３０１は、器具本体固定部３００ＡＡの第１側端部３００Ａ３に形成された第１の開放部３０１Ａと、一方側が第１の開放部３０１Ａに接続された第１の奥側部３０１Ｂと、第１の開放部３０１Ａに形成された第１の凸部３０１Ｃとを含むものである。
【００２１】
第１の開放部３０１Ａは、灯具部３００が器具本体２００に取り付けられた状態において、器具本体２００の天面部２００Ａに平行に形成されている。すなわち、第１の開放部３０１Ａは、水平方向に平行に形成されている。第１の開放部３０１Ａは、器具本体固定部３００ＡＡに形成された切欠である。第１の開放部３０１Ａには、器具本体２００に灯具部３００が取り付けられた状態において、第１の係止部６００Ａが位置している。
【００２２】
第１の奥側部３０１Ｂは、一方側が第１の開放部３０１Ａに接続され、他方側が上端部３００Ａ１側に延びている。第１の奥側部３０１Ｂは、器具本体固定部３００ＡＡに形成された切欠である。第１の奥側部３０１Ｂは、一方側が第１の開放部３０１Ａの他端側に接続され、他端側が灯具部３００の短手方向の幅の中央に向かいながら上側に延出している。すなわち、第１の奥側部３０１Ｂは、第１の開放部３０１Ａの接続位置から、上端部３００Ａ１側（上側）に向かって延びるように形成されている。
【００２３】
第１の凸部３０１Ｃは、第１の開放部３０１Ａに形成されているものである。第１の凸部３０１Ｃは、第１の係止部６００Ａが第１側端部３００Ａ３側に移動して、第１の係止部６００Ａが第１の開放部３０１Ａから脱落することを回避する機能を有している。ここで、第１の開放部３０１Ａは切欠であるが、この切欠の上端縁と下端縁との間に第１の係止部６００Ａが挿入される。第１の凸部３０１Ｃは、第１の開放部３０１Ａの下端縁に形成されている。
【００２４】
第２の切欠部３０２は、器具本体固定部３００ＡＡの第２側端部３００Ａ４に形成された第２の開放部３０２Ａと、一方側が第２の開放部３０２Ａに接続された第２の奥側部３０２Ｂと、第２の奥側部３０２Ｂに形成された第２の凸部３０２Ｃとを含むものである。
【００２５】
第２の開放部３０２Ａは、灯具部３００が器具本体２００に取り付けられた状態において、器具本体２００の天面部２００Ａに平行に形成されている。すなわち、第２の開放部３０２Ａは、第１の開放部３０１Ａと同様に、水平方向に平行に形成されている。なお、第２の開放部３０２Ａは、第１の開放部３０１Ａよりも短い。第２の開放部３０２Ａは、第１の開放部３０１Ａと同様に、器具本体固定部３００ＡＡに形成された切欠である。
【００２６】
第２の奥側部３０２Ｂは、一方側が第２の開放部３０２Ａに接続され、他方側が上端部３００Ａ１に向かって上側に延びている。第２の奥側部３０２Ｂは、器具本体固定部３００ＡＡに形成された切欠である。第２の奥側部３０２Ｂは、灯具部３００が器具本体２００に取り付けられている状態において、鉛直上側に延出している。すなわち、第２の奥側部３０２Ｂは、第２の開放部３０２Ａの接続位置から、上端部３００Ａ１（鉛直上側）に向かって延びるように形成されている。第２の奥側部３０２Ｂには、器具本体２００に灯具部３００が取り付けられた状態において、第２の係止部６００Ｂが位置している。
【００２７】
第２の凸部３０２Ｃは、第２の奥側部３０２Ｂに形成されているものである。第２の凸部３０２Ｃは、第２の係止部６００Ｂが下端部３００Ａ２側に移動して、第２の係止部６００Ｂが第２の切欠部３０２から脱落することを回避する機能を有している。ここで、第２の奥側部３０２Ｂは切欠である。この切欠の第２側端部３００Ａ４側の縁と、器具本体固定部３００ＡＡの中央側の縁との間に第２の係止部６００Ｂが挿入される。第２の凸部３０２Ｃは、器具本体固定部３００ＡＡの中央側の縁に形成されている。
【００２８】
係止部６００は、たとえば、器具本体２００の内側面５００Ａに締結されているねじで構成することができる。係止部６００は、ドライバーなどが挿入されるねじ頭６０１と、ねじ頭６０１から突出するように形成され円筒部６０２と、円筒部６０２の先端に形成されたねじ部６０３とを含む。
ねじ頭６０１は、灯具部３００が長手方向に平行移動したときに、灯具部３００が係止部６００から脱落することを回避する機能を有する。
円筒部６０２は、断面形状が円形状である。円筒部６０２は、灯具部３００が器具本体２００に取り付けられている状態において、第１の切欠部３０１及び第２の切欠部３０２に挿通しているものである。円筒部６０２は、一端側がねじ頭６０１に接続され、他端側にねじ部６０３が形成されている。ねじ部６０３は、螺旋状部材である。
ねじ部６０３は、器具本体２００のフレーム５００の内側面５００Ａに締結される。ねじ部６０３は、器具本体２００に締結されるため器具本体２００内に埋まるが、円筒部６０２については、器具本体２００から突出する。この露出している円筒部６０２上に、第１の切欠部３０１及び第２の切欠部３０２が移動自在に設けられることになる。
【００２９】
＜灯具部３００の支持機構の寸法説明＞
図８に示すように、ねじ頭６０１は、円筒部６０２の径（Ｆ）及びねじ部６０３の径（Ｇ）よりも大きい、径（Ｆ）を有している。また、ねじ部６０３の径（Ｇ）は、円筒部の径（Ｆ）よりも小さい。
【００３０】
図６に示すように、第１の開放部３０１Ａの上端縁と下端縁との間の寸法Ａは、第１の開放部３０１Ａの上端縁と第１の凸部３０１Ｃの上端（頂部）との間の寸法Ｂよりも大きい。なお、寸法Ｂは、係止部６００の円筒部６０２の径Ｆと同様とするとよい。これにより、第１の開放部３０１Ａのうちの第１の凸部３０１Ｃの形成位置では、第１の係止部６００Ａの動きが規制される。一方、それ以外の位置では、第１の開放部３０１Ａ上を第１の係止部６００Ａがなめらかに移動する。
以上より、各種寸法の大小関係は次の通りである。
【００３１】
Ｇ＜Ｆ＝Ｂ＜Ａ＜Ｅ  ・・・（１）
【００３２】
図７に示すように、第２の奥側部３０２Ｂの第２側端部３００Ａ４側の縁と、器具本体固定部３００ＡＡの中央側の縁との間の寸法Ｃは、第２の奥側部３０２Ｂの第２側端部３００Ａ４側の縁と第２の凸部３０２Ｃの頂部との間の寸法Ｄよりも大きい。
なお、寸法Ｄは、係止部６００の円筒部６０２の径Ｆと同様とするとよい。これにより、第２の奥側部３０２Ｂのうちの第２の凸部３０２Ｃの形成位置では、第２の係止部６００Ｂの動きが規制される。一方、それ以外の位置では、第２の奥側部３０２Ｂを第２の係止部６００Ｂがなめらかに移動する。
以上より、各種寸法の大小関係は次の通りである。
【００３３】
Ｇ＜Ｆ＝Ｄ＜Ｃ＜Ｅ  ・・・（２）
【００３４】
＜動作説明＞
図９は、本実施の形態に係る照明装置の灯具部３００が係止部６００（第１の係止部６００Ａ及び第２の係止部６００Ｂ）によって器具本体２００に取り付けられている状態の説明図である。
灯具部３００が器具本体２００に取り付けられている状態の初期位置では、第１の係止部６００Ａが第１の開放部３０１Ａ上の中間部に位置している。なお、第１の係止部６００Ａは、第１の開放部３０１Ａに形成された第１の凸部３０１Ｃよりも内側に位置している。
灯具部３００が器具本体２００に取り付けられている状態の初期位置では、第２の係止部６００Ｂが第２の奥側部３０２Ｂの一番奥側に位置している。なお、第２の係止部６００Ｂは、第２の奥側部３０２Ｂに形成された第２の凸部３０２Ｃよりも上側に位置している。
【００３５】
図１０は、図９に示す灯具部３００の第２の切欠部３０２の取付基準位置から、第２の係止部６００Ｂを外した状態の説明図である。
灯具部３００のうちの第２の係止部６００Ｂ側を上側に持ち上げると、第２の係止部６００Ｂが第２の凸部３０２Ｃを乗り越えて第２の奥側部３０２Ｂから外れる。図１０は、第２の奥側部３０２Ｂから第２の係止部６００Ｂが外れ、第２の係止部６００Ｂが第２の開放部３０２Ａ上に位置している状態を示している。なお、第１の切欠部３０１については、第１の係止部６００Ａに対して回転している。
【００３６】
図１１は、図１０に示す灯具部３００の第１の切欠部３０１の取付基準位置から、第１の係止部６００Ａを外した状態の説明図である。
図１０の状態から図１０の矢印ＡＲ１に示す方向に灯具部３００を移動させることで、図１１の状態に至る。なお、矢印ＡＲ１に示す方向は、図１０の状態において、第１の開放部３０１Ａと平行な方向である。
図１１に示すように、第２の係止部６００Ｂは、第２の開放部３０２Ａのうちの端に位置している。また、第１の係止部６００Ａは、第１の開放部３０１Ａの一番奥側に位置している。
【００３７】
図１２は、図１１に示す灯具部３００の第２の切欠部３０２から第２の係止部６００Ｂを外した状態の説明図である。
図１１の状態から図１１の矢印ＡＲ２に示す方向に灯具部３００を移動させることで、図１２の状態に至る。なお、矢印ＡＲ２は、図１１の状態において、第１の奥側部３０１Ｂと平行な方向である。
図１２に示すように、第２の係止部６００Ｂは、第２の開放部３０２Ａから外れる。また、第１の係止部６００Ａは、第１の奥側部３０１Ｂのうちの一番奥側に位置している。
【００３８】
図１３は、図１２に示す灯具部３００の第１の切欠部３０１から第１の係止部６００Ａを外す様子の説明図１である。
図１２の状態から図１２の矢印ＡＲ３に示す方向に灯具部３００を移動させることで、図１３の状態に至る。なお、矢印ＡＲ３は、灯具部３００を第１の係止部６００Ａを軸として回転させる方向である。
図１２に示すように、第２の係止部６００Ｂは、器具本体固定部３００ＡＡの上端部３００Ａ１の上側に位置する。また、第１の係止部６００Ａは、第１の奥側部３０１Ｂから第１の開放部３０１Ａに移動する。
【００３９】
図１４は、図１３に示す灯具部３００の第１の切欠部３０１から第１の係止部６００Ａを外す様子の説明図２である。
図１３の状態から図１３の矢印ＡＲ４に示す方向に灯具部３００を移動させることで、図１４の状態に至る。なお、矢印ＡＲ４は、図１３の状態において、第１の奥側部３０１Ｂと平行な方向である。
図１４に示すように、第２の係止部６００Ｂは、器具本体固定部３００ＡＡの上端部３００Ａ１に沿って、図１４の紙面の左側に移動する。また、第１の係止部６００Ａは、第１の開放部３０１Ａの第１の凸部３０１Ｃに至る。図１４の状態からさらに、矢印ＡＲ４と同じ方向に灯具部３００を移動させることで、第１の係止部６００Ａは、第１の開放部３０１Ａの第１の凸部３０１Ｃを乗り越えて、第１の開放部３０１Ａから外れる。
このようにして、第１の係止部６００Ａ及び第２の係止部６００Ｂから、第１の切欠部３０１及び第２の切欠部３０２を外して、器具本体２００から灯具部３００を取り外すことができる。なお、図９〜図１４では、器具本体２００から灯具部３００を取り外す動作について説明したが、取り付ける動作はこの逆の動作である。
【００４０】
［本実施の形態に係る照明装置１００の有する効果］
本実施の形態に係る照明装置１００は、一面に開口を有する枠体２０００と、長尺形状であり光源部を含み、枠体２０００の内側に位置するように枠体２０００に取り付けられる着脱自在の灯具部３００と、を備え、枠体２０００には、灯具部３００の長手方向の端部に向かい合う内側面に、灯具部３００を係止する対になる２つの係止部６００が設けられ、灯具部３００の長手方向の端部には、係止部６００が挿入され、灯具部３００が移動自在になるように係止部６００と係合する対になる２つの切欠部が設けられ、灯具部３００は、一方の切欠部と一方の係止部６００が係合した状態において、係合された一方の係止部６００を軸として回動し、他方の切欠部と他方の係止部６００とが係合し、枠体２０００に取り付けられている。
また、本実施の形態に係る照明装置１００は、灯具部３００は、枠体２０００から着脱する場合には、光源部の光照射方向に対して傾けた状態において一方の切欠部と一方の係止部６００とが係合し、枠体２０００に取り付けられる。なお、光照射方向とは、例えば照明装置１００が天井に取り付けられる場合には、下方向に対応する。このため、ドライバーなどの工具を用いなくても、係止部６００に切欠部を着脱することで、灯具部３００を器具本体２００（枠体２０００）に着脱することができ、灯具部３００の交換の際の作業者の負担が増大することを抑制することができる。
また、灯具部３００を取り外す際の動作方向が、回転動作と灯具部３００の短手方向に平行な方向の移動動作である。つまり、灯具部３００の長手方向に平行な方向の移動動作を要していない。このため、より作業者の作業負担を抑制することができる。
【００４１】
建物などの天井には、たとえば、照明装置の他に、スピーカー、空調の吸込口及び吹出口などの各種設備が設けられたシステム天井がある。なお、建物にはＴ字型の棒状部材が天井側に取り付けられており、システム天井の天井板はこのＴ字型の棒状部材に支持されている。なお、システム天井では、建物などの各部屋に臨む天井板に、照明装置、スピーカー、空調の吸込口及び吹出口などを設置する位置及び大きさ等が予め定められている。
【００４２】
システム天井は、建物に設置するにあたって工期を短縮することができ、コストアップを抑制する等のメリットを有する。しかし、システム天井では、取り付けられる照明装置の自由度が低くなる。すなわち、システム天井では、ねじ止めにより器具本体に取り付ける態様の照明装置以外の照明装置を採用することができなくなる場合がある。この場合には、作業者は灯具部を交換する作業において、ドライバーなどの工具を用いる。照明装置は天井に設けられているため、作業者は、脚立などに登りながら、工具を用いて作業をする必要がある。すなわち、照明装置の灯具部がねじ止めにより器具本体に取り付ける態様の照明装置では、灯具部の交換の際の作業者の負担が増大してしまうことになる。しかし、本実施の形態に係る照明装置１００は、上記のように、係止部６００及び切欠部を含むため、灯具部３００の交換の際の作業者の負担が増大することを抑制することができる。
【００４３】
本実施の形態に係る照明装置１００の係止部は、灯具部３００の端部に設けられた第１の係止部６００Ａと、第１の係止部が設けられた枠体の内側面５００Ａに設けられ、灯具部３００の端部に設けられた第２の係止部６００Ｂとを含み、切欠部は、第１の係止部６００Ａに移動自在に支持される第１の切欠部３０１と、第２の係止部６００Ｂに移動自在に支持される第２の切欠部３０２とを含むものである。
このように、本実施の形態に係る照明装置１００は、第１の係止部６００Ａ及び第２の係止部６００Ｂと、第１の切欠部３０１及び第２の切欠部３０２とを備えており、灯具部３００の端部が２つの箇所で支持される構造を採用している。このため、灯具部３００をねじなどで固定しなくても、灯具部３００が意図せずに落下などしてしまうことを回避することができる。
【００４４】
本実施の形態に係る照明装置１００の第１の切欠部３０１は、灯具部３００の短手方向に平行に形成され、枠体２０００（器具本体２００）に灯具部３００が取り付けられている状態において第１の係止部６００Ａに支持される部分（第１の開放部３０１Ａ）を含み、第２の切欠部３０２は、灯具部３００の上下方向に平行に形成され、枠体２０００に灯具部３００が取り付けられている状態において第２の係止部６００Ｂに支持される部分（第２の奥側部３０２Ｂ）を含むものである。
灯具部３００が枠体２０００に取り付けられている状態において、第１の開放部３０１Ａは短手方向（水平方向）に平行に延びている。一方、灯具部３００が枠体２０００に取り付けられている状態において、第２の奥側部３０２Ｂは、灯具部３００の上下方向（鉛直方向）に平行に延びている。すなわち、第１の開放部３０１Ａと第２の奥側部３０２Ｂとは直交している。
したがって、灯具部３００が枠体２０００に取り付けられている状態において、灯具部３００に、意図せずに水平方向の振動が加わったときに、灯具部３００は初期位置からずれてしまうことを抑制することができる。第２の係止部６００Ｂ及び第２の奥側部３０２Ｂの構造は、灯具部３００の水平方向の動きを規制するためである。
一方、灯具部３００が枠体２０００に取り付けられている状態において、灯具部３００に、意図せずに上下方向の振動が加わったときでも、灯具部３００は初期位置からずれてしまうことを抑制することができる。第１の係止部６００Ａ及び第１の開放部３０１Ａの構造は、灯具部３００の上下方向の動きを規制するためである。
【００４５】
本実施の形態に係る照明装置１００の第１の切欠部３０１は、第１の係止部６００Ａが外れるように一方側が開放されている第１の開放部３０１Ａと、一方側が第１の開放部３０１Ａの他端側に接続され、他端側が灯具部３００の短手方向の幅の中央に向かいながら上側に延出する第１の奥側部３０１Ｂとを含み、第２の切欠部３０２は、第２の係止部６００Ｂが外れるように一方側が開放された第２の開放部３０２Ａと、一方側が第２の開放部３０２Ａの他端側に接続された第２の奥側部３０２Ｂとを含み、第１の開放部３０１Ａは、灯具部３００の短手方向に平行に形成され、枠体２０００に灯具部３００が取り付けられている状態において第１の係止部６００Ａに支持され、第２の奥側部３０２Ｂは、灯具部３００の上下方向に平行に形成され、枠体２０００に灯具部が取り付けられている状態において第２の係止部６００Ｂに支持されるものである。
このように、本実施の形態に係る照明装置１００は、第１の切欠部３０１が第１の開放部３０１Ａ及び第１の奥側部３０１Ｂを含み、第２の切欠部３０２が第２の開放部３０２Ａ及び第２の奥側部３０２Ｂを含むため、まず第一に、第２の係止部６００Ｂから第２の切欠部３０２を外し、第二に、第１の係止部６００Ａから第１の切欠部３０１を外すことができる。すなわち、本実施の形態に係る照明装置１００は、順次、係止部から切欠部を外すことができる。
本実施の形態に係る照明装置１００は、同時に両方の係止部から両方の切欠部を外すような構造を採用していないため、灯具部３００に振動などの外乱が加わり、意図せずに、灯具部３００が枠体２０００から脱落してしまうことを回避することができる。
たとえば、灯具部３００が枠体２０００に取り付けられている状態において、灯具部３００に、意図せずに上下方向の振動が加わっても、第２の係止部６００Ｂが第２の奥側部３０２Ｂから外れても、第２の開放部３０２Ａに移るだけで済み、依然として灯具部３００の枠体２０００に対する取付状態を保つことができる。
【００４６】
本実施の形態に係る照明装置１００の第１の開放部３０１Ａには、灯具部３００が枠体２０００に取り付けられている状態において、第１の係止部６００Ａが開放されている側に動くことを規制する第１の凸部３０１Ｃが形成されているものである。これにより、灯具部３００に振動などの外乱が加わっても、灯具部３００が意図せずに枠体２０００から外れてしまうことを抑制することができる。
また、第１の凸部３０１Ｃの位置を灯具部３００の取付位置の初期位置とすることで、灯具部３００の取付をする作業者は、容易に灯具部３００の着脱を確認することができる。このため、作業者の灯具部３００を着脱するときの作業負担を抑制することができる。
【００４７】
本実施の形態に係る照明装置１００の第２の開放部３０２Ａには、灯具部３００が枠体２０００に取り付けられている状態において、第２の係止部６００Ｂが下側に動くことを規制する第２の凸部３０２Ｃが形成されている。これにより、灯具部３００に振動などの外乱が加わっても、灯具部３００が意図せずに枠体２０００から外れてしまうことを抑制することができる。
また、第２の凸部３０２Ｃの位置を灯具部３００の取付位置の初期位置とすることで、灯具部３００の取付をする作業者は、容易に灯具部３００の着脱を確認することができる。このため、作業者の灯具部３００を着脱するときの作業負担を抑制することができる。
【００４８】
本実施の形態に係る照明装置１００は、灯具部３００を枠体２０００に取り付けるにあたってねじなどを使用していない。したがって、照明装置１００に締結されたねじが見えてしまい、照明装置１００の意匠性が低下してしまうことを抑制することができる。
【００４９】
＜変形例＞
図１５は、本実施の形態に係る照明装置１００の変形例の説明図である。図１６は、変形例に係る照明装置１００の備える弾性部材７００の説明図である。図１７は、変形例に係る照明装置１００の器具本体２００に弾性部材７００が取り付けられている状態を説明する図である。
変形例に係る照明装置１００は、器具本体２００の天面部２００Ａに弾性部材７００が取り付けられている。弾性部材７００は、たとえば、灯具部３００の長手方向における両方の端部側にそれぞれ設けられている。すなわち、一方の弾性部材７００は、一方のフレーム５００側に設けられ、他方の弾性部材７００は、他方のフレーム５００側に設けられている。
【００５０】
弾性部材７００は、たとえば、天面部２００Ａに固定される固定部７００Ａと、固定部７００Ａに接続された湾曲部７００Ｂとを含む。弾性部材７００は、たとえば、ゴムなどの樹脂で構成してもよいし、金属板で構成してもよい。
【００５１】
固定部７００Ａには、ボルトなどを締結することができるように穴７００Ａ１が形成されている。固定部７００Ａは、天面部２００Ａの下面に接触した状態で、ボルトが穴７００Ａ１に締結される。
【００５２】
湾曲部７００Ｂは、固定部７００Ａの接続側である上側から下側に向かって延び、その後、上側に延びている。灯具部３００が器具本体２００に取り付けられている状態において、湾曲部７００Ｂの下面には、灯具部３００の上面が押し付けられる。すなわち、灯具部３００が器具本体２００に取り付けられている状態において、湾曲部７００Ｂは、灯具部３００が押し付けられているため弾性変形し、灯具部３００を下側に押し返している。
これにより、灯具部３００が器具本体２００に取り付けられている状態において、係止部６００と切欠部との接触が強くなる。灯具部３００を取り外すには、この湾曲部７００Ｂが灯具部３００を押す力よりも強い力を加える必要がある。これにより、灯具部３００に振動などの外乱が加わり、意図せずに、灯具部３００が器具本体２００から脱落してしまうことをより確実に回避することができる。
【００５３】
［本実施の形態に係る照明装置１００の変形例の有する効果］
変形例に係る態様であっても、本実施の形態に係る照明装置１００と同様の効果に加えて次の効果を得ることができる。
本実施の形態に係る照明装置１００の器具本体２００には、灯具部３００が器具本体２００に取り付けられている状態において、灯具部３００の長手方向に直交する方向の動きを規制するように、灯具部３００と押し合う弾性部材７００が設けられている。これにより、灯具部３００に振動などの外乱が加わり、意図せずに、灯具部３００が器具本体２００から脱落してしまうことをより確実に回避することができる。
【符号の説明】
【００５４】
１００  照明装置、２００  器具本体、２００Ａ  天面部、２００Ｂ  側面部、２００Ｃ  通気穴、２００Ｄ  枠本体、２０１  電源端子台、３００  灯具部、３００Ａ  第１の開放部、３００Ａ１  上端部、３００Ａ２  下端部、３００Ａ３  第１側端部、３００Ａ４  第２側端部、３００ＡＡ  器具本体固定部、３００Ｂ  反射板、３００Ｂ１  反射板、３００Ｂ２  反射板、３０１  第１の切欠部、３０１Ａ  第１の開放部、３０１Ｂ  第１の奥側部、３０１Ｃ  第１の凸部、３０２  第２の切欠部、３０２Ａ  第２の開放部、３０２Ｂ  第２の奥側部、３０２Ｃ  第２の凸部、３５０  透光性カバー、４００  ルーバー、５００  フレーム、６００  係止部、６００Ａ  第１の係止部、６００Ｂ  第２の係止部、６０１  ねじ頭、６０２  円筒部、６０３  ねじ部、７００  弾性部材、７００Ａ  固定部、７００Ａ１  穴、７００Ｂ  湾曲部、２０００  枠体。
【図１】
0006639114.tif 000002
【図２】
0006639114.tif 000003
【図３】
0006639114.tif 000004
【図４】
0006639114.tif 000005
【図５】
0006639114.tif 000006
【図６】
0006639114.tif 000007
【図７】
0006639114.tif 000008
【図８】
0006639114.tif 000009
【図９】
0006639114.tif 000010
【図１０】
0006639114.tif 000011
【図１１】
0006639114.tif 000012
【図１２】
0006639114.tif 000013
【図１３】
0006639114.tif 000014
【図１４】
0006639114.tif 000015
【図１５】
0006639114.tif 000016
【図１６】
0006639114.tif 000017
【図１７】
0006639114.tif 000018